(57)【要約】      （修正有）【課題】使用済み針を注射針筒の管体に永久に偏移させ収納できる注射針筒を提供する。【解決手段】中空管体２１と、プランジャセットと、針セットとを有する。中空管体の両端には、第１の開口及び第２の開口が設置されている。プランジャセットは第２の開口から中空管体に配置されている。プランジャセットは、少なくとも一つのプランジャ２２０及び一つの第１の接合部２２２を有する。針セットは、第１の針ベースと、第２の針ベース２３２と、針２３３とを有する。第１の針ベースは第１の開口に設置されている。第２の針ベースの第２のベース側辺には、第２の接合部２３７が設置されている。第２の接合部には位置決め部２３０が設置されており、第２の針ベースが当該プランジャの引き戻しにより引き戻され、針を当該中空管体に収納する時、位置決め部と第１の接合部とが互いに押し当てられ、針を永久に偏移させる。【選択図】図５
0003195194.tif 000002
【実用新案登録請求の範囲】
【請求項１】
両端にそれぞれ第１の開口及び第２の開口が設けられる中空管体と、
当該第２の開口から当該中空管体に配置されており、プランジャと、プランジャの一端に設置される押圧部と、押圧部に突設される第１の接合部と、ピストンとを有し、且つ押圧部の外周にピストンが設置されることにより、第１の接合部と押圧部とがピストンに突設されるプランジャセットと、
当該第１の開口に設置され中空内管を有する第１の針ベースと、中空内管の内部に設置される第２の針ベースと、針とを有し、第２の針ベースの第１のベース側辺が針を挿入固定するためのものであり、第２の針ベースの第２のベース側辺には位置決め部が設けられる第２の接合部が設置されており、当該第２の接合部と当該第１の接合部とが互いに嵌合し、当該第２の針ベースが当該プランジャの引き戻しにより引き戻され、当該針を当該中空管体に収納する時、当該位置決め部と当該第１の接合部とが互いに押し当てられ、針を永久に偏移させる針セットと、
を備える注射針筒。
【請求項２】
当該中空管体の当該第１の開口の内縁筒壁には複数の弾性支持体が設置されており、当該第１の針ベースセットが当該第１の開口に設置されることによって、当該第２のベース側辺が当該弾性支持体により押し止められ、当該押圧部が各弾性支持体を押し開いた後、当該第２の接合部と当該第１の接合部とが互いに嵌合して、第２の針ベースが当該プランジャの引き戻しにより引き戻され、針を当該管体に収納することを特徴とする請求項１に記載の注射針筒。
【請求項３】
当該第１の針ベースは第１のネジ部を有し、当該管体は当該第１の開口の外縁筒壁に設置される第２のネジ部を有し、第１のネジ部と第２のネジ部とは互いに螺合することを特徴とする請求項１に記載の注射針筒。
【請求項４】
当該第１の接合部は密閉する中空構造のバンプであり、当該第２の接合部は凹溝であることを特徴とする請求項１に記載の注射針筒。
【請求項５】
両端にそれぞれ第１の開口及び第２の開口が設けられる中空管体と、
当該第２の開口から当該中空管体に配置されており、プランジャと、プランジャの当該第２の開口に向ける一端に設置される第１の接合部と、ピストンとを有し、第１の接合部の外周にピストンが設置されることにより、第１の接合部がピストンに突設されるプランジャセットと、
針ベースと針とを有し、針ベースの第１のベース側辺が針を挿入固定するためのものであり、針ベースの第２のベース側辺が当該第１の開口に接合され、第２の側辺には位置決め部が設けられる第２の接合部が設置されており、第２の接合部と当該第１の接合部とが互いに嵌合し、針セットが当該プランジャの引き戻しにより引き戻され、針を当該管体に収納する時、位置決め部と第１の接合部とが互いに押し当てられ、針を永久に偏移させる針セットと、
を有する注射針筒。  
【考案の詳細な説明】
【技術分野】
【０００１】
本考案は、注射針筒に関するものであり、特に使用済みの針を引き戻して偏移させ、注射針筒の中空管体に永久に収納することにより、注射針筒の使用上の安全性を向上させる注射針筒に関するものである。
【背景技術】
【０００２】
注射針筒は管体と、プランジャと、針ベースと、針と、蓋体とを有するのが一般的である。その中、プランジャの一端にはピストンが設置されてよく、プランジャは管体の第２の開口から管体内部に配置可能である。針は針ベースの一側に挿入固定され、針ベースの他側は管体の第１の開口にルアースリップ（luer Slip）の方式で嵌合されてよい。プランジャを操作して液体を管体に吸い込み、または管体内の液体を外部に押し出すことにより、血液のサンプル採取及び注射等の作業を達成する。注射針筒が使用された後、直接に蓋体を針ベースに嵌合させ、針を被覆する。
【０００３】
しかし、従来の注射針筒は蓋体のみで針を被覆するので、医療従事者は、使用済みの注射針筒であるか否かを判断できず、または、蓋体を針ベースに嵌合させようとする時、不注意により使用済みの針に刺さられ、補えない傷害に至る場合もある。
【０００４】
このため、使用済みの針を管体内に引き戻して保存し、針を露出しないことにより、医療従事者への傷害機会を低減できる安全注射針筒が現われる。しかし、従来の安全注射針筒は、使用済みの針が針筒に引き戻されても、針が針筒に自由に揺れ動くことができ、針筒の中央位置に揺れ動く時、多少の外力により針筒の外部に押し出されやすいので、使用上の危険性及び外部環境への影響が生じやすい。
【先行技術文献】
【特許文献】
【０００５】
【特許文献１】特開２００６−８７６３６号公報
【考案の概要】
【考案が解決しようとする課題】
【０００６】
上記問題に鑑み、本考案の主な目的は、従来の安全注射針筒の問題を解決するために、使用済みの針を注射針筒の管体に永久に偏移させ収納できる注射針筒を提供することにある。
【０００７】
上記目的を達成するために、本考案の注射針筒は、中空管体と、プランジャセットと、針セットとを有する。中空管体の両端には、それぞれ第１の開口及び第２の開口が設置されている。プランジャセットは第２の開口から中空管体に配置されている。プランジャセットは、プランジャと、押圧部と、第１の接合部と、ピストンとを有する。押圧部は、プランジャの一端に設置され、第１の接合部は押圧部に突設され、押当部の外部にピストンが設置されることにより、第１の接合部と押圧部とがピストンに突設されている。針セットは、第１の針ベースと、第２の針ベースと、針とを有する。第１の針ベースセットは、第１の開口に設置され、且つ中空内管を有する。第２の針ベースは中空内管の内部に設置されている。第２の針ベースの第１のベース側辺は針を挿入固定するためのものである。第２の針ベースの第２のベース側辺には第２の接合部が設置されている。第２の接合部には位置決め部が設置されており、当該第２の接合部と当該第１の接合部とが互いに嵌合し、第２の針ベースがプランジャの引き戻しにより引き戻され、針を中空管体に収納するとき、位置決め部と第１の接合部とが互いに押し当てられ、針を偏移させる。
【０００８】
本考案の一つの実施例において、中空管体の第１の開口の内縁筒壁には複数の弾性支持体が設置されている。第１の針ベースセットが第１の開口に設置されることによって、第２のベース側辺が弾性支持体により押し止められ、押圧部が各弾性支持体を押し開いた後、第２の接合部と第１の接合部とが互いに嵌合して、第２の針ベースがプランジャの引き戻しにより引き戻され、針を管体に収納する。
【０００９】
本考案の一つの実施例において、第１の針ベースは第１のネジ部を有し、当該管体は当該第１の開口の外縁筒壁に設置される第２のネジ部を有し、第１のネジ部と第２のネジ部とは互いに螺合する。
【００１０】
また、上記目的を達成するために、本考案は、中空管体と、プランジャセットと、針セットとを有する注射針筒をさらに提供する。中空管体の両側にはそれぞれ第１の開口及び第２の開口が設置されている。プランジャセットは第２の開口から当該管体に配置されている。プランジャセットはプランジャと、第１の接合部と、ピストンとを有する。第１の接合部はプランジャの第２の開口に向ける一端に設置されている。第１の接合部の外周にピストンが設置されることにより、第１の接合部がピストンに突設されている。針セットは針ベースと針とを有する。針ベースの第１のベース側辺は針を挿入固定するためのものである。針ベースの第２のベース側辺は第１の開口に接合される。第２の側辺には第２の接合部が設置されている。第２の接合部には位置決め部が設置されている。第２の接合部と第１の接合部とは互いに嵌合する。針セットがプランジャの引き戻しにより引き戻され、針を当該管体に収納する時、位置決め部と第１の接合部とが互いに押し当てられ、針を偏移させる。
【００１１】
本考案の一つの実施例において、第１の接合部は中空構造のバンプであり、当該第２の接合部は凹溝である。
【００１２】
本考案の一つの実施例において、注射針筒は蓋体を有する。蓋体内縁には蓋体係止体が設置され、針ベースの外縁には針ベース係止体が設置され、蓋体係止体と針ベース係止体とは互いに係合する。
【００１３】
上記するものに基づき、本考案は、上記問題を解決するほか、ある実施例において以下のようなメリットをさらに有する。
【００１４】
１.管体の第１の開口の内縁筒壁に複数の弾性支持体を設置することによって、第２の針ベースの第２のベース側辺を押し止め、針に支持力を提供し、注射時に針が押し戻されることを回避し、人体の注射による痛みを低減する。
２.プランジャの第１の接合部と第２の針ベースの第２の接合部とを嵌合させることによって、第２の針ベースがプランジャの引き戻しにより引き戻され、針を管体に収納し、それにより注射針筒の再度使用が禁じられ、間接的な感染を回避する。
３.ランジャの押圧部で各弾性支持体を押し開き、各弾性支持体が第２の針ベースの第２のベース側辺を押し止めなくなることによって、第２の針ベース及び針を管体に移動させやすい。
４.第１の接合部は中空構造であってよいため、第１の接合部が良い弾性を有し、それにより第１の接合部と第２の接合部とが互いに嵌合しやすい。
【図面の簡単な説明】
【００１５】
【図１】本考案に係る注射針筒の第１の実施例の構造分解図である。
【図２】本考案に係る第１の実施例の注射針筒の組立図である。
【図３】本考案に係る第１の実施例の注射針筒の部分構造拡大図である。
【図４】本考案に係る第１の実施例の注射針筒の部分構造拡大図である。
【図５】本考案に係る注射針筒の部分構造拡大図である。
【図６】本考案に係る注射針筒の別の実施例の構造組立図である。
【図７】本考案に係る注射針筒の別の実施例の構造組立図である。
【考案を実施するための形態】
【００１６】
本考案の内容をよく理解するため、以下、図面を参照して本考案の幾つかの具体的な実施形態について詳しく説明する。同一符号は同一又は類似する機能を有する部材または装置を表す。
【００１７】
まず、図１を参照する。図１に示すように、本考案の注射針筒２０は、中空管体２１と、プランジャセット２２と、針セット２３とを有するが、それらに限定されるものではない。中空管体２１の両端には、それぞれ第１の開口２１１及び第２の開口２１２が設置されている。第１の開口の内縁筒壁には、複数の弾性支持体２１３が設置されている。プランジャセット２２は、プランジャ２２０と、押圧部２２１と、第１の接合部２２２とを有する。押圧部２２１は、プランジャ２２０の第２の開口２１２に向ける一端に設置されている。第１の接合部２２２は押圧部２２１に突設され、押圧部２２１の外周にピストン２２３が設置されることにより、第１の接合部２２２と押圧部２２１とがピストン２２３に突設されている。プランジャセット２２のピストン２２３が設置される一端は第２の開口２１２から中空管体２１に配置可能である。針セット２３は、第１の針ベース２３１と、第２の針ベース２３２と、針２３３とを有する。第１の針ベース２３１は中空内管２３４を有し、第２の針ベース２３２は中空内管２３４の内部に設置されている。第２の針ベース２３２の第１のベース側辺２３６は、針２３３を挿入固定する（例えば、粘着剤によって針２３３を第２の針ベース２３２に固定する）ためのものであり、第２の針ベース２３２の第２のベース側辺２３９には、第２の接合部２３７が設置されている。その中、第１の針ベース２３１は中空管体２１の第１の開口２１１に設置されることによって、第２のベース側辺２３９が各弾性支持体２１３により押し止められる。押圧部２１１が各弾性支持体２１３を押し開いた後、第２の接合部２３７と第１の接合部２２２とが互いに嵌合して、第２の針ベース２３２がプランジャセット２２の引き戻しにより引き戻され、針２３３を管体２１に収納する。
【００１８】
よって、針セット２３が中空管体２１の第１の開口２１１に設置され、かつ押圧部２２１がまだ各弾性支持体２１３を押し開いていない時、各弾性支持体２１３で第２の針ベースの第２のベース側辺２３９を押し止めることによって、針２３３に支持力を提供し、それにより注射針筒２０で注射する時に針２３３が押し戻されることを回避し、人体の注射による痛みを低減する。
【００１９】
注射した後、プランジャセット２２を引き続き押し込むことによって、押圧部２２１で各弾性支持体２１３を押し開いた後、第１の接合部２２２と第２の接合部２３７とが嵌合する。第１の接合部２２２と第２の接合部２３７とが嵌合された後、プランジャセット２２を引っ張ることによって、第１の接合部２２２で第２の接合部２３７を連動させ、第２の針ベース２３２はプランジャセット２２の引き戻しにより引き戻され、針２３３を中空管体２１に収納する。それにより、注射針筒２０の再度使用が禁じられ、間接的な感染を回避する。また、押圧部２２１によって各弾性支持体を押し開き、各弾性支持体２１３が第２の針ベース２３２の第２のベース側辺２３９を押し止めなくなることにより、第２の針ベース２３２及び針２３３を中空管体２１に移動することができる。第１の接合部２２２と第２の接合部２３７との嵌合方式について後述する。
【００２０】
第１実施例において、第１の針ベース２３１の外縁筒壁と中空内管２３４との間には凹溝が形成されている。そのほか、中空管体２１の内縁筒壁は第１の開口２１１を形成する。組み立てる際に、凹溝と第１の開口２１を形成する中空管体２１の内縁筒壁とを嵌合することができ、第１の針ベース２３１の外縁管壁が直接に中空管体２１の第１の開口２１１の外縁筒壁２１０に密着可能であり、それにより針セット２３を中空管体２１に密着して組み立てる。
【００２１】
中空管体２１の内縁筒壁には管体係止体２１５が設置されてよく、プランジャセット２２にはそれに対応するプランジャ係止体２２４が設置されており、管体係止体２１５とプランジャ係止体２２４と（例えば、互いに対向するバンプ及び係合溝）は互いに係合する。つまり、中空管体２１の第２の開口２１２側の内縁筒壁には管体係止体２１５が設置され、プランジャセット２２を引っ張って第２の針ベース２３２を引き戻し、針２３３を中空管体２１に収納した後、プランジャセット２２を引き続き引っ張って後退させ、プランジャセット２２のプランジャ係止体２２４を管体係止体２１５に係合させ、それにより、プランジャセット２２が容易に中空管体２１から取り出され、中空管体２１に収納される第２の針ベース２３２及び針２３３が第２の開口２１２から取り出され、注射針筒２０の使用者または注射針筒２０の処理関係者に危険をもたらすことを回避する。
【００２２】
次に、図３を参照する。図３に示すように、本考案の一つの実施例において、第１の接合部２２２はバンプであり、第２の接合部は凹溝である。第２の接合部２３７には位置決め部２３０が設置されている。第１の接合部２２２と第２の接合部２３７とが嵌合する時、位置決め部２３０と第１の接合部２２２とは互いに押し当てられ、プランジャセット２２の引き戻しにより、針２３３を永久に偏移させ中空管体２１に収納する。それにより、針２３３が中空管体２１において自由に中央位置に揺り動くと、ほかの外力で第１の開口（２１１、図１に示すように）から再び中空管体２１から露出し、注射針筒２０の使用者または処理関係者の使用安全性を損害し、または外部環境への影響をもたらすことを回避する。その中、第１の接合部２２２は中空構造であってよいため、第１の接合部２２２は良い弾性を有し、それにより第１の接合部２２２と第２の接合部２３７とが互いに嵌合しやすい。詳しくは以下のように説明する。
【００２３】
図２〜図５を同時に参照する。図２〜図５は、それぞれ本考案に係る第１の実施例の注射針筒の組立図及び部分構造拡大図である。図２及び図３から、注射針筒２０の各部品が組み立てられた後の模式図を理解することができ、プランジャセット２２を引き戻すと、注射針筒２０は針２３３で液体を中空管体２１内に吸い込むことができる。また、図４に示すように、注射針筒２０で注射する時、プランジャ２２０を押し込むことにより、中空管体２１内の液体を外部に押し出すことが可能である。プランジャ２２０を引き続き押し込むと、押圧部２２１は各弾性支持体２１３を押し開き、それにより第１の接合部２２２の中空構造が押圧され、第１の接合部２２２が押し潰されて収縮する。そして、第１の接合部２２２を容易に第２の接合部２３７内に収納して、第２の接合部２３７と互いに嵌合する。続いて、図５に示すように、第１の接合部２２２と第２の接合部２３７とが嵌合された後、プランジャ２２０を引っ張ることによって、第１の接合部２２２で第２の接合部２３７を連動させ、第２の針ベース２３２がプランジャ２２０の引き戻しにより引き戻され、針２３３を中空管体２１に収納する。この時、第１の接合部２２２は外部構造の制限に影響されなくなり、材料自身の弾力の回復によって第１の接合部２２２を中空構造に回復させる。したがって、第１の接合部２２２は第２の接合部２３７における位置決め部２３０を押し込んで、針２３３を中空管体２１内において偏移させ、針２３３を中空管体２１の内部に収納することができ、それにより注射針筒２０の再度使用が禁じられ、使用者または処理関係者の安全を確保する。
【００２４】
さらに、図６及び図１を同時に参照する。図６は本考案の注射針筒の第２の実施例の構造組立図であり、説明していない部分が第１の実施例と同じである。第２の実施例において、第１の針ベース２３１は第１のネジ部２３８を有し、中空管体２１は第２のネジ部２１４を有する。第２のネジ部２１４は第１の開口２１１の外縁筒壁に設置され、且つ第１のネジ部２３８と第２のネジ部２１４とは互いに螺合する。前記螺合の方式から分かるように、第１の針ベース２３１はルアーロック（luer Lock）の方式で中空管体２１に組み立てられるので、第１の針ベース２３１が完全に中空管体２１に組み立てられ位置決められた後、各弾性支持体２１３と第２の針ベース２３２の第２のベース側辺２３９との間に如何なる隙間が存在しないことになる。本考案の第１の針ベース２３１と中空管体２１との組み立て方式により、注射針筒２０で人体注射する時、各弾性支持体２１３が持続的に第２の針ベース２３２の第２のベース側辺２３９を押し止め、それにより針２３３を人体に刺す時に第２の針ベース２３２が押し戻されることなく、人体の注射による痛みを低減することができる。
【００２５】
また、第２の実施例における第１の針ベース２３１と中空管体２１との組み立て方式により、包装及び搬送過程に注射針筒２０が弛むことなく、注射針筒２０の完全性を確保する。
【００２６】
注射針筒２０に組み立てられ且つ損害されている針２３３を置き換えるために、第１の針ベース２３１を中空管体２１から容易に取り外すことができ、それにより損害されている針２３３で人体注射することを回避し、人体の注射による痛みを低減する。
【００２７】
さらに、図６を参照する。本考案の一つの実施例において、注射針筒２０は蓋体２４を有し、蓋体２４の内縁には蓋体係止体２４１が設置され、それに対して、第１の針ベース２３１の外縁には針ベース係止体２３５が設置されており、蓋体２４を第１の針ベース２３１に固定できるように、蓋体係止体２４１と針ベース係止体２３５と（例えば、互いに対向するバンプ及び係合溝）は互いに係合することにより、針２３３が外部に露出して危険をもたらすことを回避する。
【００２８】
当然ながら、蓋体２４の第１の針ベース２３１における安定性及び密閉性を高めるために、蓋体２４は螺合の方式により第１の針ベース２３１に組み立てられてもよく、ここでその説明を省略する。
【００２９】
プランジャセット２２のプランジャ２２０には切断器２２５（例えば、図２に示すようにＶ字凹溝）が設置されてよく、切断器２２５（図２に示すように）は中空管体２１の外部に露出する一部のプランジャセット２２を切断する機能を有する。よって、プランジャセット２２を引っ張って第２の針ベース２３２を引き戻し、針２３３を中空管体２１に収納した後、切断器２２５（図２に示すように）で中空管体２１の外部に露出する一部のプランジャセット２２を分離させ、残りの一部のプランジャセット２２とピストン２２３とを取り出されにくいように中空管内２１に収納し、それにより中空管体２１の密閉性を高める。
【００３０】
本考案は上記実施例に限定されるものではない。さらに、図７を参照する。図７は、第１の針ベース２３１の外縁管壁が直接に中空管体２１の第１の開口２１１の外縁筒壁２１０に密着する別の実施例である。説明していない部分は第１の実施例を参照する。第１の実施例に対する本実施例の区別的特徴は以下のとおりである。注射針筒３０の第１の針ベース２３１の外縁管壁が形成する空間は中空内管２３４であり、図１に示すような凹溝構造が形成されていない。第１の開口２１１は直接に中空管体２１の外縁筒壁２１０により形成された空間である。組み立てる際に（図７に示すように）、第１の針ベース２３１の外縁管壁は直接に中空管体２１の外縁筒壁２１０が形成する第１の開口２１１に挿入され、また第１の針ベース２３１の外縁管壁は一定の弾性力を有するため、第１の針ベース２３１の外縁管壁が直接に中空管体２１の外縁筒壁２１０に密着することができる。従って、針セット２３を中空管体２１に密着して組み立てることが可能である。
【００３１】
前記したものは本考案の好ましい実施例に過ぎず、本考案の実施範囲を限定するものではなく、すなわち、本実用新案登録請求の範囲に記載された形状、構造、特徴及び主旨に基づく均等の変更及び修飾は、いずれも本考案の実用新案登録請求の範囲に含まれるべきである。
【符号の説明】
【００３２】
２０:注射針筒
２１:中空管体
２２:プランジャセット
２３:針セット
２４:蓋体
２１０:外縁筒壁
２１１:第１の開口
２１２:第２の開口
２１３:弾性支持体
２１４:第２のネジ部
２１５:管体係止体
２２０:プランジャ
２２１:押圧部
２２２:第１の接合部
２２３:ピストン
２２４:プランジャ係止体
２２５:切断器
２３０:位置決め部 
２３１:第１の針ベース
２３２:第２の針ベース
２３３:針
２３４:中空内管
２３５:針ベース係止体
２３６:第１のベース側辺
２３７:第２の接合部
２３８:第１のネジ部
２３９:第２のベース側辺
２４１:蓋体係止体
【図１】
0003195194.tif 000003
【図２】
0003195194.tif 000004
【図３】
0003195194.tif 000005
【図４】
0003195194.tif 000006
【図５】
0003195194.tif 000007
【図６】
0003195194.tif 000008
【図７】
0003195194.tif 000009